(57)【要約】【課題】どのような変調方式を採用した場合でも有効に誤り率特性を向上させることができる無線送信装置及び無線送信方法を提供すること。【解決手段】拡散部１０５は１送信パケット内の各符号化ビット列を異なる拡散コードで拡散することで複数の拡散信号を形成する。パワー比設定部１０６は各拡散信号それぞれのパワー比を復号時に求められる所要品質に応じて設定する。これにより、変調方式や送信電力などの既存の品質決定要素とは別の拡散信号のパワー比といった新たな品質決定要素を用いて復号時の所要品質に合わせて柔軟に１送信パケット内の各符号化ビット列の品質を変えることができるようになり、復号データの誤り率特性を向上させることができるようになる。【選択図】      図１
2004364075.tif 000002
【特許請求の範囲】
【請求項１】
１つの送信パケットに収容する符号化ビット列について、復号時に求められる所要品質が異なる複数の符号化ビット列を複数の拡散コードを用いて拡散することにより複数の拡散信号を形成する拡散手段と、当該拡散手段により得られた複数の拡散信号それぞれのパワー比を前記所要品質に応じて設定するパワー比設定手段と、前記パワー比設定手段によりパワー比が設定された複数の拡散信号を多重化することにより符号分割多重信号を得る多重化手段と、前記符号分割多重信号を無線送信する無線送信手段と、を具備することを特徴とする無線送信装置。
【請求項２】
前記パワー比設定手段は、単位送信区間内、又は前回送信時と再送時との間で前記パワー比を変化させることを特徴とする請求項１に記載の無線送信装置。
【請求項３】
前記パワー比設定手段は、単位送信区間内で前回送信時と再送時で前記パワー比を変化させるにあたって、再送時には、前記単位送信区間を時間軸方向に分割する分割数を変更し、分割した区間毎にパワー比を設定することを特徴とする請求項２に記載の無線送信装置。
【請求項４】
前記パワー比設定手段に入力される拡散された符号化ビットの入力順序を変化させる並べ換え手段をさらに具備し、前記パワー比設定手段は、符号化ビット列の入力順序に応じてパワー比を決定し、前記無線送信手段は、前記並べ換え手段による並べ換え情報も含めて送信する、ことを特徴とする請求項１に記載の無線送信装置。
【請求項５】
１つの送信パケットに収容する符号化ビット列を複数の拡散コードを用いて拡散し、これにより得た複数の拡散信号のそれぞれのパワー比をその符号化ビット列が復号時に求められる所要品質に応じて設定して符号分割多重信号を形成するようにした、ことを特徴とする無線送信方法。
【発明の詳細な説明】
【０００１】
【発明の属する技術分野】
本発明は無線送信装置及び無線送信方法に関し、例えば無線基地局や携帯端末に設けられた送信装置に適用して好適なものである。
【０００２】
【従来の技術】
従来、無線送信装置では、データの高速伝送と高品質伝送との両立が求められている。ここで無線送信において、高速伝送と高品質伝送は全く独立した性能ではなく、高品質伝送は高速伝送に寄与する関係をもっている。具体的には、データを高品質で伝送できなければ受信側でのビット誤り率特性が悪くなるので、同じデータの再送回数が増えて、結果としてスループットが低下することになる。このように無線送信では、データを高品質で伝送することが、重要な技術となっている。
【０００３】
データの高速伝送と高品質伝送を両立させるために、ＩＭＴ−２０００のパケット伝送方式として、下りのピーク伝送速度の高速化、低伝送遅延、高スループット化等を目的としたＨＳＤＰＡ（Ｈｉｇｈ  Ｓｐｅｅｄ  Ｄｏｗｎｌｉｎｋ  Ｐａｃｋｅｔ  Ａｃｃｅｓｓ）と呼ばれる方式が検討されている。そして、ＨＳＤＰＡを支援する技術として、３ＧＰＰ（３ｒｄ  Ｇｅｎｅｒａｔｉｏｎ  Ｐａｒｔｎｅｒｓｈｉｐ  Ｐｒｏｊｅｃｔ）ＴＲ２５．８４８  ”Ｐｈｙｓｉｃａｌ  ｌａｙｅｒ  ａｓｐｅｃｔｓ  ｏｆ  ＵＴＲＡ  Ｈｉｇｈ  Ｓｐｅｅｄ  Ｄｏｗｎｌｉｎｋ  Ｐａｃｋｅｔ  Ａｃｃｅｓｓ”、ＴＲ２５．８５８  ”ＨＳＤＰＡ  Ｐｈｙｓｉｃａｌ  Ｌａｙｅｒ  Ａｓｐｅｃｔｓ”には、ＡＭＣ（Ａｄａｐｔｉｖｅ  Ｍｏｄｕｌａｔｉｏｎ  ａｎｄ  Ｃｏｄｉｎｇ：適応変調符号化方式）と呼ばれる伝送方式が開示されている。
【０００４】
このＡＭＣ技術は、回線品質の変動に応じて、変調方式や誤り訂正符号化レートを適応的にかつ高速に変更する技術である。ＡＭＣ技術では、回線品質が良好なほど、変調多値数の多い変調方式を用い、誤り訂正符号化レートを大きくすることで、伝送レートを高める。具体的には、移動局（または基地局）で随時移動局毎の下りの伝搬品質を測定し、基地局ではその測定結果に基づいて、情報を伝送すべき移動局と最適な伝送レートを決定し、決定した伝送レートで情報を伝送する。そして伝送レートを可変とする要素として、変調方式や符号化レートが検討されている。
【０００５】
このようにＡＭＣ技術を用いれば、移動局から送信される回線の測定結果に基づいて、適応的に変調方式や符号化レートを決定するようにしているので、回線状態に応じて所望の誤り率を満たす最大限のデータを伝送できる。この結果、伝送効率と誤り率を両立させることができる。
【０００６】
さらにターボ符号化されたデータに対して適応変調を行う際に、システマティックビットについてはパリティビットよりも誤りの生じ難いビットにマッピングすることで、一段と誤り率特性を向上し得る技術も提案されている。例えば、システマティックビットを同一シンボルにおける伝送品質の良いビットに優先的に割り当てて多値変調を行うことにより、ターボ符号化された送信信号の誤り率特性を向上させる送信方法が提案されている。つまり、システマティックビットとパリティビットでは、復号時に求められる所要品質が異なるので、高い所要品質が求められるシステマティックビットを伝送品質の良いビットに割り当てて多値変調を行う。
【０００７】
【非特許文献１】
３ＧＰＰ    ＴＳＧ−ＲＡＮ    ＷＧ１    ＃２３    Ｔｄｏｃ  Ｒ１−０２−００２４  （Ｅｓｐｏｏ，Ｆｉｎｌａｎｄ  Ｊａｎ  ８−１１，２００２）；  ３ｒｄ  Ｇｅｎｅｒａｔｉｏｎ  Ｐａｒｔｎｅｒｓｈｉｐ  Ｐｒｏｊｅｃｔ    Ｔｅｃｈｎｉｃａｌ  Ｓｐｅｃｉｆｉｃａｔｉｏｎ  Ｇｒｏｕｐ−ＲＡＮ    Ｗｏｒｋｉｎｇ  Ｇｒｏｕｐ  １    ＃２３    Ｔ  ｄｏｃｕｍｅｎｔ    Ｒｅｌｅａｓｅ−０２−００２４（Ｅｓｐｏｏ，Ｆｉｎｌａｎｄ  Ｊａｎ  ８−１１，２００２）
【０００８】
【発明が解決しようとする課題】
ところで、従来提案されているシステマティックビットを同一シンボルにおける伝送品質の良いビットに優先的に割り当てて多値変調を行う方法では、ターボ符号化により得られたシステマティックビットとパリティビットに対して、例えば１６値ＱＡＭ（Ｑｕａｄｒａｔｕｒｅ  Ａｍｐｌｉｔｕｄｅ  Ｍｏｄｕｌａｔｉｏｎ）を行う場合に、システマティックビットを上位ビットとすると共にパリティビットを下位ビットとしてマッピングすることにより、システム全体の誤り率特性への影響が大きいシステマティックビットの誤り率特性を向上させるようになっている。
【０００９】
しかしながら、このことからも明らかなように、変調の仕方により誤り率特性を向上させようとした場合、１６値ＱＡＭのように上位ビットと下位ビットとが存在する変調方式では誤り率特性を有効に向上させることができるが、ＱＰＳＫ（Ｑｕａｄｒａｔｕｒｅ  Ｐｈａｓｅ  Ｓｈｉｆｔ  Ｋｅｙｉｎｇ）のようにビットによって品質に差が生じない方式では、誤り率特性の向上効果が望めないことになる。
【００１０】
本発明はかかる点に鑑みてなされたものであり、どのような変調方式を採用した場合でも有効に誤り率特性を向上させることができる無線送信装置及び無線送信方法を提供することを目的とする。
【００１１】
【課題を解決するための手段】
かかる課題を解決するため本発明の無線送信装置は、１つの送信パケットに収容する符号化ビット列について、復号時に求められる所要品質が異なる複数の符号化ビット列を複数の拡散コードを用いて拡散することにより複数の拡散信号を形成する拡散手段と、当該拡散手段により得られた複数の拡散信号それぞれのパワー比を前記所要品質に応じて設定するパワー比設定手段と、パワー比設定手段によりパワー比が設定された複数の拡散信号を多重化することにより符号分割多重信号を得る多重化手段と、符号分割多重信号を無線送信する無線送信手段と、を具備する構成を採る。
【００１２】
この構成によれば、例えばシステマティックビットとパリティビットのように復号時に求められる所要品質が異なる符号化ビットを符号分割多重して送信する場合に、システマティックビットの拡散信号のパワー比をパリティビットの拡散信号のパワー比よりも大きくすることで、復号時の各符号化ビットの所要品質を満足させることができる。したがって、変調時のビットマッピングによらず、復号データの誤り率特性を向上させることができるようになる。つまり多重化された拡散信号のパワー比が大きい符号化ビットほど受信時の品質が良くなるので、多重送信された符号化ビットの受信品質をパワー比によって差を付けることができる。この結果、変調方式や送信電力などの既存の品質決定要素とは別のパワー比といった新たな品質決定要素を用いて復号時の所要品質に合わせて柔軟に各符号化ビットの品質を変えることができるようになる。
【００１３】
本発明の無線送信装置は、パワー比設定手段は、単位送信区間内、又は前回送信時と再送時との間で前記パワー比を変化させる構成を採る。
【００１４】
この構成によれば、単位送信区間内でパワー比を変えれば、より細かな制御が行うことが可能となり、再送による合成時の所要品質を考慮して電力を割り当てることが可能となる。例えば前回送信時と再送時との間でパワー比を変化させれば、前回送信時にパワー比が小さいために誤りが検出されて再送となった符号化ビットのパワー比を再送時に大きくできるので、送信電力を有効に割り振ることが可能となる。
【００１５】
本発明の無線送信装置は、パワー比設定手段は、単位送信区間内で前回送信時と再送時で前記パワー比を変化させるにあたって、再送時には、単位送信区間を時間軸方向に分割する分割数を変更し、分割した区間毎にパワー比を設定する構成を採る。
【００１６】
この構成によれば、送信データの品質をより柔軟に変えることができるようになる。
【００１７】
本発明の無線送信装置は、パワー比設定手段に入力される拡散された符号化ビットの入力順序を変化させる並べ換え手段をさらに具備し、パワー比設定手段は、符号化ビットの入力順序に応じてパワー比を決定し、無線送信手段は、並べ換え手段による並べ換え情報も含めて送信する構成を採る。
【００１８】
この構成によれば、パワー比設定手段は、単純に入力順序に応じてパワー比を設定すればよいので構成を簡単化できる。また受信側装置は、並べ換え情報に基づいて受信符号化ビット列を元の順序に戻せばよいので、復調処理や復号処理を容易に行うことができるようになる。
【００１９】
本発明の無線送信方法は、１つの送信パケットに収容する符号化ビット列を複数の拡散コードを用いて拡散し、これにより得た複数の拡散信号のそれぞれのパワー比をその符号化ビット列が復号時に求められる所要品質に応じて設定して符号分割多重信号を形成する。
【００２０】
この方法によれば、変調方式や送信電力などの既存の品質決定要素とは別の拡散信号のパワー比といった新たな品質決定要素を用いて復号時の所要品質に合わせて柔軟に１送信パケット内の各符号化ビット列の品質を変えることができるようになる。したがって、変調時のビットマッピングによらず、復号データの誤り率特性を向上させることができるようになる。また送信電力を有効に使用することにもなる。
【００２１】
【発明の実施の形態】
本発明の骨子は、１つの送信パケットに収容する符号化ビット列を複数の拡散コードを用いて拡散し、各符号化ビット列を拡散して得た複数の拡散信号のそれぞれのパワー比を復号時の所要品質に応じて設定して符号分割多重信号を形成することである。
【００２２】
以下、本発明の実施の形態について図面を参照して詳細に説明する。
【００２３】
（１）構成
図１において、１００は全体として本発明の無線送信装置を含む無線通信装置示す。無線通信装置１００は送信データをバッファ１０１を介してターボ符号器１０２に入力する。ターボ符号器１０２は送信データに対してターボ符号化処理を施すことにより、システマティックビットＳＢとパリティビットＰＢを形成し、これらを並べ換え部１０３に送出する。
【００２４】
並べ換え部１０３は、１つの送信パケット内にシステマティックビットＳＢとパリティビットＰＢが所定数ずつ配置されるようにビット配列を行う。ここで１送信パケットとは、誤り判定を行う単位であり、ＣＲＣ（Ｃｙｃｌｉｃ  Ｒｅｄｕｎｄａｎｃｙ  Ｃｈｅｃｋ）ビットが１つ含まれるようなデータ単位であるとする。
【００２５】
加えて、並べ換え部１０３は、初回送信時と再送時とではパケット内でのシステマティックビットとパリティビットとの配列を入れ換えるようにビット配列を行う。並べ換え部１０３は配列後のビットストリームを変調部１０４に送出する。
【００２６】
変調部１０４は、入力したビットストリームに対して、ＱＰＳＫや１６値ＱＡＭ等の所定の変調処理を行う。拡散部１０５は変調後のシンボルに対して互いに直交関係にある複数の拡散コードを用いて拡散処理を施す。拡散された信号は順次パワー比設定部１０６に入力される。
【００２７】
パワー比設定部１０６は、符号分割多重される複数の拡散信号の合計電力値を単位送信区間（以下、これをＴＴＩ（Ｔｒａｎｓｍｉｓｓｉｏｎ  Ｔｉｍｅ  Ｉｎｔｅｒｖａｌ）区間と呼ぶ）内で一定に保ちながら、各拡散信号のパワー比を設定する。なおこのＴＴＩ区間は、１送信パケット分を送信する区間である。多重処理部１０７は、パワー比設定後の拡散信号を多重化することにより、符号分割多重信号を形成する。符号分割多重信号は、無線送信部１０８によりディジタルアナログ変換、アップコンバートや増幅等の所定の無線送信処理が施された後、アンテナＡＮ１から送信される。ここで無線送信部１０８は、同一のＴＴＩ区間では符号分割多重信号の合計送信電力を一定としながら送信電力を制御する。
【００２８】
次に無線通信装置１００の受信系について説明する。無線通信装置１００は通信相手局からの信号をアンテナＡＮ１により受信し、この受信信号を無線受信部２０１に入力する。無線受信部２０１は、受信信号に対して、ダウンコンバートやアナログディジタル変換等の所定の無線受信処理を施した後、逆拡散部２０２に送出する。
【００２９】
逆拡散後の信号は復調部２０３を介してＡＣＫ／ＮＡＣＫ検出部２０４に送出される。ＡＣＫ／ＮＡＣＫ検出部２０４は、受信信号に含まれるＡＣＫ信号又はＮＡＣＫ信号を検出し、検出結果を送信制御部２０５に送出する。送信制御部２０５は、ＡＣＫ／ＮＡＣＫ検出結果に基づいて、バッファ１０１、ターボ符号化器１０２、並べ換え部１０３及びパワー比設定部１０６における処理を、初回送信の処理と再送での処理とで切換制御する。
【００３０】
次に無線通信装置１００から送信された信号を受信する無線通信装置３００の構成を、図２に示す。無線通信装置３００は、無線通信装置１００からの信号をアンテナＡＮ２で受信すると、この受信信号を、無線受信部３０１、逆拡散部３０２及び復調部３０３を介して並べ換え部３０４及び報告値抽出部３０５に入力する。並べ換え部３０４は報告値抽出部３０５により抽出された報告値に基づいて復調データを並べ換えることにより、復調データをシステマティックビットＳＢとパリティビットＰＢに分離する。ここで報告値抽出部３０５で抽出される報告値は、無線通信装置１００の並べ換え部１０３での並べ換え情報であり、並べ換え部３０４ではこの報告値に基づいて並べ換え部１０３と逆の並べ換え処理を行うようになっている。因みに、この報告値は例えば無線通信装置１００の並べ換え部１０３で送信信号に付加される。
【００３１】
ターボ復号器３０６は入力されたシステマティックビットＳＢ及びパリティビットＰＢを用いてターボ復号化処理を行い、これにより得た復号データを合成部３０７を介して誤り検出部３０９に送出する。合成部３０７は、初回送信データの受信時には、復号データをそのまま誤り検出部３０９に送出する。これに対して、再送データの受信時には、バッファ３０８に格納された前回受信した復号データと今回の復号データを合成して誤り検出部３０９に送出する。誤り検出部３０９は復号データに誤りがあるか否かを検出し、検出結果をＡＣＫ／ＮＡＣＫ信号生成部３１０に送出すると共に誤り無しの場合には入力した復号データを受信データとして出力する。
【００３２】
ＡＣＫ／ＮＡＣＫ信号生成部３１０は、誤り検出部３０９により誤りが検出されなかった場合にはＡＣＫ信号を生成すると共に誤りが検出された場合にはＮＡＣＫ信号を生成する。生成されたＡＣＫ信号又はＮＡＣＫ信号は拡散部３１１及び無線送信部３１２を介してアンテナＡＮ２から送信される。
【００３３】
（２）動作
以上の構成において、無線通信装置１００は、１つの送信パケット内に収容するシステマティックビットとパリティビットを異なる拡散コードで拡散する。無線通信装置１００は、符号分割多重信号の合計電力値を１パケットの送信区間であるＴＴＩ区間内で所定値に保ちながら、各拡散信号のパワー比を復号時に求められる所要品質に応じて設定する。
【００３４】
具体的には、初回送信時には所要品質の高いシステマティックビットＳＢの拡散信号のパワー比をパリティビットＰＢの拡散信号のパワー比よりも大きくする。これにより、復号時に誤り率特性に大きな影響を及ぼすシステマティックビットＳＢを無線通信装置３００により品質良く受信できるようになるので、誤り率特性が向上する。
【００３５】
それでも無線通信装置３００で誤りが検出された際には、無線通信装置１００は無線通信装置３００から再送要求信号を受け、同一データを再送する。この際、無線通信装置１００は、バッファ１０１に格納された同一データをバッファ１０１から出力し、ターボ符号化器１０２でシステマティックビットＳＢとパリティビットＰＢを形成する。
【００３６】
並べ換え部１０３は、初回送信時とは逆の順序でシステマティックビットＳＢとパリティビットＰＢを出力する。これにより、再送時、拡散部１０５ではシステマティックビットＳＢとパリティビットＰＢにそれぞれ初回送信時とは逆の拡散コードが割り当てた拡散処理が施され、パワー比設定部１０６ではシステマティックビットＳＢの拡散信号とパリティビットＰＢの拡散信号のパワー比が、それぞれ初回送信時とは逆のパワー比とされる。但し、このときも初回送信時と同様にＴＴＩ区間でのシステマティックビットＳＢとパリティビットＰＢの合計電力値は一定とされる。なお、ここでは拡散コードを変えてコード毎のパワー比設定を変更しないようにしているが、拡散コードを変えずにパワー比設定を変更するようにしてもよい。また全送信電力は初回送信時と同じである必要はない。
【００３７】
無線通信装置３００は、このようにシステマティックビットＳＢとパリティビットＰＢのパワー比が逆転された再送信号を受信すると、これを並べ換え部３０４を介してターボ復号器３０６に入力する。ターボ復号器３０６は、初回送信で受け取ったビットと再送で受け取ったビットを合成したビットを用いて復号処理を行う。これにより、再送時にはパリティビットＰＢの品質も良くなるので誤り率特性の良い復号データを得ることができる。
【００３８】
（３）効果
以上の構成によれば、パワー比設定部１０６を設け、１送信パケット内の各符号化ビット列を異なる拡散コードで拡散して得た複数の拡散信号それぞれのパワー比を復号時に求められる所要品質に応じて設定するようにしたことにより、変調方式や送信電力などの既存の品質決定要素とは別の拡散信号のパワー比といった新たな品質決定要素を用いて復号時の所要品質に合わせて柔軟に１送信パケット内の各符号化ビット列の品質を変えることができるようになり、復号データの誤り率特性を向上し得る無線送信装置を実現できる。
【００３９】
また前回送信時（例えば初回送信時）と再送時とで、パワー比を変化させるようにしたことにより、より細かな制御が行うことが可能となり、再送による合成時の所要品質を考慮して電力を割り当てることが可能となる。
【００４０】
（４）送信例
次に図３〜図８を用いて、無線通信装置１００から送信される送信信号の信号例について説明する。なお図３〜図８において、Ｓは重要なビット（この実施の形態の場合、システマティックビット）を示し、Ｐはそれほど重要でないビット（この実施の形態の場合、パリティビット）を示す。またコード１、コード２は、拡散部１０５での拡散処理に用いられる拡散コードを示し、互いに相関が０の関係となっているものとする。
【００４１】
（送信例１）
図３は、実施の形態における第１の送信例を示し、ＴＴＩ区間で重要ビットＳと、非重要ビットＰを符号分割多重送信する場合に、送信１回目と送信２回目で各ビットＳ、Ｐの拡散信号のパワー比を逆転させるものである。これにより、送信１回目で重要ビットＳの信頼度を上げることができるようになり、重要ビットＳを１回の送信で誤り無く送ることができる可能性を高めることができる。加えて、２回目の送信では、パワー比が逆転されるので、１回目の送信で非重要ビットＰに誤りが生じても２回目の送信では誤りが解消する可能性を高めることができる。
【００４２】
（送信例２）
図４は、実施の形態における第２の送信例を示し、ＴＴＩ区間を時間軸方向に２分割し、１回の送信では分割区間の間で重要ビットＳ１、Ｓ２と非重要ビットＰ１、Ｐ２のパワー比を等しくし、分割区間の間で重要ビットＳ１、Ｓ２と非重要ビットＰ１、Ｐ２に割り当てる拡散コードを変える。また送信１回目と送信２回目の間では、各ビットＳ１、Ｓ２、Ｐ１、Ｐ２の拡散信号のパワー比を逆転させる。
【００４３】
これにより、送信例１と比較して、１回の送信の分割区間の間で重要ビットＳ１、Ｓ２と非重要ビットＰ１、Ｐ２に割り当てる拡散コードを変えるようにしたことにより、１回の送信での重要ビットＳ１、Ｓ２の誤る確率を一段と低減できる。また、Ｓ１、Ｓ２とＰ１、Ｐ２のパワー比を等しい場合について説明したが、これに限らず、２分割したそれぞれにおいてパワー比を柔軟に変更してもよい。
【００４４】
因みに、図５は、従来のＴＴＩ区間での重要ビットＳ１、Ｓ２と非重要ビットＰ１、Ｐ２のパワー配分及び拡散コード割り当ての例を示す。図５の例によれば、重要ビットＳ１、Ｓ２の誤る確率は、非重要ビットＰ１、Ｐ２の誤る確率と同等となる。
【００４５】
（送信例３）
図６は、実施の形態における第３の送信例を示す。この送信例３と上述した送信例２との違いは、送信例２では再送時に拡散コード１、２のパワー比を変えることで重要ビットＳ１、Ｓ２と非重要ビットＰ１、Ｐ２のパワー比を送信１回目と送信２回目で入れ換えたが、この送信例３では再送時に拡散コード１、２のパワー比を変えるのではなく重要ビットＳ１、Ｓ２と非重要ビットＰ１、Ｐ２の順序を入れ換えることで重要ビットＳ１、Ｓ２と非重要ビットＰ１、Ｐ２のパワー比を送信１回目と送信２回目で入れ換えるようになっている。
【００４６】
具体的には、パワー比設定部１０６が各拡散コード１、２に対して送信１回目と送信２回目で同じパワー比を設定しておき、並べ換え部１０３によって重要ビットＳ（システマティックビットＳＢ）と非重要ビットＰ（パリティビットＰＢ）の出力順序を送信１回目と送信２回目で入れ換えるようにする。
【００４７】
これにより、パワー比設定部１０６は、単純に入力順序に応じてパワー比を設定すればよいので、パワー比設定部１０６の構成を簡単化できる。
【００４８】
（送信例４）
図７は、実施の形態における第４の送信例を示し、ＴＴＩ区間の時間軸方向の分割数を符号化率に応じて変更した場合を示す。図７の例は、１／３のターボ符号を２コード多重して送信する場合の例であり、送信１回目ではシステマティックビットＳ１、Ｓ２のパワー比を大きくし、送信２回目ではパリティビットＰ１２、Ｐ２２のパワー比を大きくしている。このようにすることで、符号化率が変化した場合や品質を変えたい部分が増えた場合でも、本発明を適用できるようになる。
【００４９】
（送信例５）
図８は、実施の形態における第５の送信例を示し、送信１回目と送信２回目とで、ＴＴＩ区間の時間方向の分割数を変化させる。具体的には、送信１回目でＴＴＩ区間を時間方向に２分割すると共に重要ビットＳ１、Ｓ２のパワー比を大きくして送信し、送信２回目ではＴＴＩ区間を時間方向に４分割すると共に各分割区間の間で重要ビットＳ１、Ｓ２と非重要ビットＰ１、Ｐ２のパワー比を変化させる。
【００５０】
このように、ＴＴＩ区間の分割数を増やし、各分割区間の間で重要ビットＳ１、Ｓ２と非重要ビットＰ１、Ｐ２のパワー比を適宜設定するようにしたことにより、重要ビットＳ１、Ｓ２と非重要ビットＰ１、Ｐ２の品質を柔軟に変えることができるようになる。
【００５１】
（５）他の実施の形態
なお上述した実施の形態では、２コード多重の場合について述べたが、本発明はこれに限らず、当然、３コード多重以上のマルチコード多重を行う場合にも適用することができる。
【００５２】
また上述した実施の形態では、再送時のパワー比を逆転させる場合について述べたが、これに限らず、必要に応じてパワー比を自由に変えることが可能である。例えば、パワー比が２：３であったものを、２：１のパワー比として送信してもよい。
【００５３】
また上述した実施の形態では、再送時にも同じ信号列を送るとして述べたが、これに限らず、パリティを変えて送ったりする場合でも、柔軟にパワー比を変えて、各ビット列の品質を変えることが可能である。例えば、最初にシステマティックビットＳとパリティビットＰ１を送り、次にパリティビットＰ１とパリティビットＰ２を送る場合でも、それぞれの送信においてパワー比を柔軟に変更して送信することができる。
【００５４】
さらに上述した実施の形態では、ターボ符号化を行う場合を例にとり、重要ビットとしてシステマティックビット、非重要ビットとしてパリティビットを対応させて説明したが、重要ビット及び非重要ビットはこれに限らない。例えばＭＰＥＧ２のＩピクチャ、Ｐピクチャ、Ｂピクチャのように特性の異なる情報を同時に送る際にＩピクチャを重要ビットとして電力を高く割り当てることも可能である。
【００５５】
【発明の効果】
以上説明したように本発明によれば、１送信パケット内の符号化ビット列を複数の拡散コードを用いて拡散し、各符号化ビット列の拡散信号それぞれのパワー比を復号時の所要品質に応じて設定して符号分割多重信号を形成するようにしたことにより、どのような変調方式を採用した場合でも有効に誤り率特性を向上させることができる無線送信装置及び無線送信方法を実現できる。
【図面の簡単な説明】
【図１】本発明の実施の形態に係る無線送信装置の構成を示すブロック図
【図２】実施の形態の無線受信装置の構成を示すブロック図
【図３】実施の形態による送信信号の例を示す図
【図４】実施の形態による送信信号の例を示す図
【図５】実施の形態による送信信号の例を示す図
【図６】実施の形態による送信信号の例を示す図
【図７】実施の形態による送信信号の例を示す図
【図８】実施の形態による送信信号の例を示す図
【符号の説明】
１００、３００  無線通信装置
１０３  並べ換え部
１０５  拡散部
１０６  パワー比設定部
１０７  多重処理部
３０４  並べ換え部
３０５  報告値抽出部
ＳＢ  システマティックビット
ＰＢ  パリティビット
Ｓ  重要ビット
Ｐ  非重要ビット
【図１】
2004364075.tif 000003
【図２】
2004364075.tif 000004
【図３】
2004364075.tif 000005
【図４】
2004364075.tif 000006
【図５】
2004364075.tif 000007
【図６】
2004364075.tif 000008
【図７】
2004364075.tif 000009
【図８】
2004364075.tif 000010